(57)【特許請求の範囲】
【請求項１】
一端が互いに接続されたｎ＋１個の容量素子を備え、ｎ個の容量素子が、夫々、基準容量を２の累乗値（２0 ，２1 ，２2 …）にて重み付けした容量に設定され、残りの容量素子が基準容量に設定された荷重容量回路と、
該荷重容量回路を構成する全容量素子の一端を互いに接続した接続点の電位と、基準電位とを大小比較する比較器と、
該比較器の入力に接続される前記各容量素子の接続点と前記基準電位の入力経路とを、導通・遮断するためのアナログスイッチと、
該アナログスイッチをオンして前記接続点に基準電位を印加し、前記各容量素子の前記接続点とは反対側の開放端にアナログ入力信号を印加することにより、前記荷重容量回路内の全容量素子に、前記アナログ入力信号と前記基準電位との電位差に対応した電荷を蓄積させるサンプリング制御を行い、その後、前記アナログスイッチをオフして前記接続点への基準電位の印加を遮断した状態で、前記荷重容量回路において容量が２の累乗値にて重み付けされたｎ個の容量素子に対して、容量が最も大きい容量素子側から順に対象となる容量素子を変更しつつ、対象となる容量素子の開放端に直流電源の正極側を接続し、接続先が未確定の容量素子の開放端に直流電源の負極側を接続することにより、各容量素子に蓄積された電荷の再分配を行い、そのとき得られる前記比較器からの出力信号に基づき、前記接続点の電位が前記基準電位に近づくように、対象となる容量素子の開放端への接続先を前記直流電源の正極側又は負極側に確定してゆく逐次比較制御を行う制御回路と、
を備え、前記制御回路の動作によって確定したｎ個の容量素子の開放端への直流電源の接続状態に対応したデジタル値を、前記アナログ入力信号のＡ／Ｄ変換値として出力する電荷再分配型の逐次比較Ａ／Ｄ変換器において、
前記アナログ入力信号が、前記直流電源の正極側電位と負極側電位と間の中心となる中間電位よりも大きいか否かを判定する判定回路と、
前記基準電位として、前記中間電位と前記正極側電位との間の第１電位、及び、前記中間電位と前記負極側電位との間の第２電位、のいずれかを選択的に出力可能な基準電位発生回路と、
を備え、前記制御回路は、前記判定回路による判定結果に基づき、前記基準電位発生回路から出力される基準電位を、アナログ入力信号が前記中間電位よりも高い場合には前記第１電位、アナログ入力信号が中間電位よりも低い場合には前記第２電位となるよう設定した後、前記サンプリング制御及び前記逐次比較制御を行うことを特徴とする逐次比較Ａ／Ｄ変換器。
【請求項２】
前記制御回路は、前記逐次比較制御の開始時に、前記判定回路による判定結果に基づき、前記荷重容量回路を構成する最大容量の容量素子の開放端への印加電位を確定し、前記逐次比較制御では、前記荷重容量回路において２番目に容量が大きい容量素子から順に、各容量素子への印加電位を確定することを特徴とする請求項１記載の逐次比較Ａ／Ｄ変換器。
【請求項３】
前記基準電位発生回路は、前記中間電位と前記正極側電位との間の中心電位を前記第１電位、前記中間電位と前記負極側電位との間の中心電位を前記第２電位、として夫々出力可能で、しかも、該第１電位及び第２電位に加えて、前記中間電位を出力可能に構成され、
前記制御回路は、前記サンプリング制御終了後に、前記基準電位発生回路から出力される基準電位を、前記第１電位又は第２電位から前記中間電位に変更し、前記逐次比較制御を行うことを特徴とする請求項１記載の逐次比較Ａ／Ｄ変換器。
【請求項４】
一端が互いに接続されたｎ＋１個の容量素子を備え、ｎ個の容量素子が、夫々、基準容量を２の累乗値（２0 ，２1 ，２2 …）にて重み付けした容量に設定され、残りの容量素子が基準容量に設定された荷重容量回路と、
該荷重容量回路を構成する全容量素子の一端を互いに接続した接続点の電位と、基準電位とを大小比較する比較器と、
該比較器の入力に接続される前記各容量素子の接続点と前記基準電位の入力経路とを、導通・遮断するためのアナログスイッチと、
該アナログスイッチをオンして前記接続点に基準電位を印加し、前記各容量素子の前記接続点とは反対側の開放端にアナログ入力信号を印加することにより、前記荷重容量回路内の全容量素子に、前記アナログ入力信号と前記基準電位との電位差に対応した電荷を蓄積させるサンプリング制御を行い、その後、前記アナログスイッチをオフして前記接続点への基準電位の印加を遮断した状態で、前記荷重容量回路において容量が２の累乗値にて重み付けされたｎ個の容量素子に対して、容量が最も大きい容量素子側から順に対象となる容量素子を変更しつつ、対象となる容量素子の開放端に直流電源の正極側を接続し、接続先が未確定の容量素子の開放端に直流電源の負極側を接続することにより、各容量素子に蓄積された電荷の再分配を行い、そのとき得られる前記比較器からの出力信号に基づき、前記接続点の電位が前記基準電位に近づくように、対象となる容量素子の開放端への接続先を前記直流電源の正極側又は負極側に確定してゆく逐次比較制御を行う制御回路と、
を備え、前記制御回路の動作によって確定したｎ個の容量素子の開放端への直流電源の接続状態に対応したデジタル値を、前記アナログ入力信号のＡ／Ｄ変換値として出力する電荷再分配型の逐次比較Ａ／Ｄ変換器において、
前記アナログ入力信号を、２の累乗値にて重み付けした電圧と同時に比較することによりＡ／Ｄ変換するフラッシュＡ／Ｄ変換回路と、
該フラッシュＡ／Ｄ変換回路によるＡ／Ｄ変換結果に応じて重み付けした、前記負極側電位から前記正極側電位までの範囲内の重み付け電位と、前記直流電源の正極側電位と負極側電位と間の中心となる中間電位と、のいずれかを選択的に出力可能な基準電位発生回路と、
を備え、前記制御回路は、
前記フラッシュＡ／Ｄ変換回路によるＡ／Ｄ変換結果に基づき、前記基準電位発生回路から該Ａ／Ｄ変換結果に対応した重み付け電位を前記基準電位として出力させた後、前記サンプリング制御を行い、該サンプリング制御が終了すると、前記基準電位発生回路から出力される基準電位を前記中間電位に変更して、前記逐次比較制御を行うことを特徴とする逐次比較Ａ／Ｄ変換器。
【発明の詳細な説明】
【０００１】
【発明の属する技術分野】
本発明は、電荷再分配型の逐次比較Ａ／Ｄ変換器に関する。
【０００２】
【従来の技術】
従来より、逐次比較Ａ／Ｄ変換器の一つとして、荷重容量回路を備えた電荷再分配型のＡ／Ｄ変換器が知られている。
荷重容量回路は、ｎビットのデジタル値を得る際には、ｎ＋１個の容量素子（コンデンサ）にて構成される。そして、図９（ａ）に例示するように、これらｎ＋１個のコンデンサは、一端が互いに接続されており、その内、ｎ個（図では３個）のコンデンサ５２，５４，５６の容量が、基準容量Ｃを２の累乗値（２0 ，２1 ，２2 ）にて重み付けした容量Ｃ，２Ｃ，４Ｃに設定され、残りのコンデンサ５０の容量が基準容量Ｃに設定される。
【０００３】
また、荷重容量回路において、各コンデンサ５０〜５６の接続点は、オペアンプ等からなる比較器（コンパレータ）６２の反転入力端子（−）に接続され、各コンデンサ５０〜５６の接続点とは反対側の開放端は、夫々、ＣＭＯＳトランジスタ等のスイッチング素子からなる切換部６４を介して、入力線ＩＮＰＵＴを介して入力されるアナログ入力信号Ｖｉｎ、正の電源線ＡＶＤＤを介して供給される直流電源の正極側電位Ｖｄｄ、及び、負の電源線ＡＶＳＳを介して供給される直流電源の負極側電位（一般にグランド電位）ＧＮＤの一つを選択的に印加できるようにされる。
【０００４】
一方、コンパレータ６２の非反転入力端子（＋）には、基準電位Ｖref が印加されており、更に、コンパレータ６２の非反転入力端子と反転入力端子との間には、これら端子間を導通・遮断するためのアナログスイッチＳＷ１が設けられる。
【０００５】
そして、こうした荷重容量回路を備えた電荷再分配型の逐次比較Ａ／Ｄ変換器では、図示しないコントローラによる制御の下に、以下の手順で、アナログ入力信号Ｖｉｎをデジタル値に変換する。
即ち、図９（ｂ）に示す如く、まずアナログスイッチＳＷ１をオンして、コンパレータ６２の非反転入力端子（延いては各コンデンサの接続点）に反転入力端子側の基準電位Ｖref を印加し、切換部６４を介して、各コンデンサ５０〜５６の開放端にアナログ入力信号Ｖｉｎを印加することにより、荷重容量回路内の全コンデンサ５０〜５６に、アナログ入力信号Ｖｉｎと基準電位Ｖref との電位差（Ｖｉｎ−Ｖref ）に対応した電荷を蓄積させる、サンプリング動作を行う。
【０００６】
次に、このサンプリング動作が完了すると、アナログスイッチＳＷ１をオフして、各コンデンサ５０〜５６の接続点への基準電位Ｖref の印加を遮断する。そして、荷重容量回路において容量が２の累乗値にて重み付けされたｎ個のコンデンサ５２，５４，５６に対して、容量が最も大きいコンデンサ５６側から順に対象となるコンデンサを変更しつつ、対象となるコンデンサ５６（５４，５２）の開放端に正の電源線ＡＶＤＤ（電位Ｖｄｄ）を接続し、接続先が未確定のコンデンサ５４，５２，５０の開放端に負の電源線ＡＶＳＳ（電位ＧＮＤ）を接続することにより、各コンデンサ５０に蓄積された電荷の再分配を行い、そのとき得られるコンパレータ６２からの出力信号に基づき、各コンデンサ５０〜５６の接続点電位Ｖｃが基準電位Ｖref に近づくように、対象となるコンデンサ５６（５４，５２）の開放端への接続先（換言すれば開放端の電位）を、正の電源線ＡＶＤＤ（電位Ｖｄｄ）及び負の電源線ＡＶＳＳ（電位ＧＮＤ）のいずれかに確定してゆく、逐次比較動作を行う。
【０００７】
ここで、逐次比較動作時のコンデンサ５０〜５６の接続点電圧Ｖｃは、荷重容量回路を構成するｎ＋１個のコンデンサ５０〜５６の総容量を「２n ・Ｃ」、開放端が正の電源線ＡＶＤＤに接続されるコンデンサの容量を「ｘ・Ｃ」とすると、次式で表すことができる。
【０００８】
Ｖｃ＝−（Ｖｉｎ−Ｖref ）＋Ｖｄｄ（ｘ・Ｃ／２n ・Ｃ）
そして、逐次比較動作では、接続点電位Ｖｃが基準電位Ｖref よりも低く、コンパレータ６２からの出力がHighレベルとなる場合には、対象となるコンデンサ５６（５４，５２）の開放端への接続先を、電位Ｖｄｄの正の電源線ＡＶＤＤに確定し、接続点電位Ｖｃが基準電位Ｖref 以上で、コンパレータ６２からの出力がLow レベルとなる場合には、対象となるコンデンサ５６（５４，５２）の開放端への接続先を、電位ＧＮＤの負の電源線ＡＶＳＳに確定する。
【０００９】
尚、逐次比較動作は、荷重容量回路において容量が２の累乗値にて重み付けされたｎ個のコンデンサ５６，５４，５２に対してのみ順に実行されるため、残りのコンデンサ５０の開放端には、常に、直流電源の負極側電位ＧＮＤが印加されることになる。また、基準電位Ｖref は、通常、電源線ＡＶＤＤ−ＡＶＳＳ間の中心の電位に設定され、例えば、電源電圧が５Ｖであれば、２．５Ｖとなる。
【００１０】
そして、この逐次比較動作によってｎ個のコンデンサ５６，５４，５２の開放端への印加電位が確定すると、開放端が正の電源線ＡＶＤＤに接続されたコンデンサを値「１」、開放端が負の電源線ＡＶＳＳに接続されたコンデンサを値「０」として、最大容量（この場合４Ｃ）のコンデンサ５６を最上位ビット（ＭＳＢ）、最小容量（基準容量Ｃ）のコンデンサ５２を最下位ビット（ＬＳＢ）とするｎビットのデジタル値を生成し、これをアナログ入力信号ＶｉｎのＡ／Ｄ変換値として出力する。
【００１１】
このように、従来の電荷再分配型逐次比較Ａ／Ｄ変換器では、サンプリング動作によって、アナログスイッチＳＷ１をオン状態にして、荷重容量回路を構成する各コンデンサ５０〜５６に、アナログ入力信号Ｖｉｎと基準電位Ｖref との電位差に応じた電荷Ｑ（図９のものでは、Ｑ＝８Ｃ（Ｖｉｎ−Ｖref ）となる）を蓄積させ、その後、アナログスイッチＳＷ１をオフ状態に切り換えた後、逐次比較動作によって、各コンデンサ５２〜５６の開放端への接続先（換言すれば開放端の電位）を、容量の大きいコンデンサ５６側（換言すればＭＳＢ側）から順に確定してゆくことにより、アナログ入力信号Ｖｉｎに対応したｎビットのデジタル値を生成する。
【００１２】
【発明が解決しようとする課題】
ところで、上記従来の逐次比較Ａ／Ｄ変換器において、５Ｖの直流電源を用いて、アナログ入力信号Ｖｉｎを０Ｖから５Ｖまで変化させた場合、逐次比較動作によるＭＳＢ確定時の接続点電圧Ｖｃは、本来、図１０に実線で示すように、アナログ入力信号Ｖｉｎに応じて、５Ｖから０Ｖまで変化する。
【００１３】
つまり、例えば、図９（ａ）に示した荷重容量回路を備えたＡ／Ｄ変換器の場合、ＭＳＢ確定のための逐次比較動作時には、切換部６４を介して、容量４Ｃのコンデンサ５６の開放端が正の電源線ＡＶＤＤ（電位５Ｖ）に接続され、残りのコンデンサ５０〜５４の開放端が負の電源線ＡＶＳＳ（電位０Ｖ）に接続されることから、各コンデンサ５０〜５６の接続点電位Ｖｃは、
0003896717.tif 000002
となり、アナログ入力信号Ｖｉｎが０Ｖのときには、Ｖｃ＝５Ｖ、アナログ入力信号Ｖｉｎが５Ｖのときには、Ｖｃ＝０Ｖとなる。
【００１４】
しかしながら、実際には、ＭＳＢ確定のための逐次比較動作時に、切換部６４を介して各コンデンサ５０〜５６の開放端を電源線ＡＶＤＤ又はＡＶＳＳに接続すると、配線のインピーダンスや切換部６４内で発生したスイッチングノイズ等によって、接続点電位Ｖｃが５Ｖを越えるオーバーシュートや、接続点電位Ｖｃが０Ｖを下回るアンダーシュートが発生することがある。
【００１５】
そして、こうしたオーバーシュートやアンダーシュートが発生すると、コンパレータ６２の入力端子間に設けられたアナログスイッチＳＷ１によって、各コンデンサ５０〜５６の接続点から電荷が抜けたり、逆に接続点に電荷が誤注入（ミスチャージ）されてしまうことがある。
【００１６】
即ち、電荷再分配型逐次比較Ａ／Ｄ変換器において、アナログスイッチＳＷ１（切換部６４内のスイッチング素子も同じである）は、通常、図１１（ａ）に示す如ように、ＰチャネルＭＯＳＦＥＴ（ＰｃｈＴｒ）とＮチャネルＭＯＳＦＥＴ（ＮｃｈＴｒ）とにより構成され、一方のＦＥＴ（図ではＰｃｈＴｒ）には、図示しないコントローラからの切換信号を直接入力し、他方のＦＥＴ（図ではＮｃｈＴｒ）には切換信号をインバータＩＮＶを介して入力することにより、そのオン・オフ状態を切り換えるようにしている。
【００１７】
また、図１１（ｂ）に示す如く、ＰｃｈＴｒ及びＮｃｈＴｒは、夫々、半導体基板の表面に拡散形成されたＮウェル及びＰウェルの中に夫々形成されており、しかも、ＰｃｈＴｒが形成されるＮウェルには、ＰｃｈＴｒと基板とを電気的に絶縁するためのバックゲート７２が形成され、ＮｃｈＴｒが形成されるＰウェルには、ＮｃｈＴｒと基板とを電気的に絶縁するためのバックゲート７４が形成されている。そして、ＰｃｈＴｒ及びＮｃｈＴｒのソースには、接続点電位Ｖｃが印加され、ＰｃｈＴｒ及びＮｃｈＴｒのソドレインには、基準電位Ｖref が印加され、ＰｃｈＴｒ側のバックゲート７２には、電源電圧Ｖｄｄ（５Ｖ）が印加され、ＮｃｈＴｒ側のバックゲート７４はグランド（０Ｖ）に接地される。
【００１８】
このため、上記のように、ＭＳＢ確定のための逐次比較動作時に、接続点電位Ｖｃが５Ｖを越えるオーバーシュートが発生すると、ＰｃｈＴｒのソースからバックゲート７２へと電流が流れ、サンプリング動作時にコンデンサ５０〜５６に蓄積された電荷の一部が抜けてしまい、逆に、接続点電位Ｖｃが０Ｖを下回るアンダーシュートが発生すると、バックゲート７２が接地されたグランド側からＮｃｈＴｒのソースへと電流が流れ、コンデンサ５０〜５６がミスチャージされることになる。
【００１９】
また、こうした電荷抜けやミスチャージは、切換部６４において、ＭＳＢのコンデンサ５６を正の電源線ＡＶＤＤへ接続するスイッチング素子の応答速度と、他のコンデンサ５０〜５４を負の電源線ＡＶＳＳへ接続するスイッチング素子の応答速度との違いによっても発生する。
【００２０】
つまり、切換部６４において、正の電源線ＡＶＤＤ側への切換が、負の電源線ＡＶＳＳへの接続よりも早く行われると、接続点電位Ｖｃは、図１０に点線で示す如く「Ｖｃ＝−２（Ｖｉｎ−Ｖref ）」となり、アナログ入力信号Ｖｉｎが、２．５Ｖ＜Ｖｉｎ≦５Ｖであるとき、接続点電位Ｖｃが電源線ＡＶＳＳの電位（グランド電位）ＧＮＤよりも低い負電位（換言すればアンダーシュート）となって、ミスチャージ（電荷誤注入）が発生する。
【００２１】
また、逆に、負の電源線ＡＶＳＳ側への切換が、正の電源線ＡＶＤＤへの接続よりも早く行われると、接続点電位Ｖｃは、図１０に一点鎖線で示す如く「Ｖｃ＝Ｖｄｄ−２（Ｖｉｎ−Ｖref ）」となり、アナログ入力信号Ｖｉｎが、０≦Ｖｉｎ＜２．５であるとき、接続点電位Ｖｃが電源線ＡＶＤＤの電位（電源電圧）Ｖｄｄよりも高い高電位（換言すればオーバーシュート）となって、電荷抜けが発生する。
【００２２】
そして、このように電荷抜けやミスチャージが発生すると、その後の逐次比較動作によって、アナログ入力信号を正常にＡ／Ｄ変換することができなくなり、Ａ／Ｄ変換精度が低下する。
そこで、従来では、電荷再分配型逐次比較Ａ／Ｄ変換器において、こうした電荷抜けやミスチャージを発生させることなく、良好なＡ／Ｄ変換を行うことができるようにするために、最上位ビットＭＳＢ用のコンデンサを、荷重容量回路を構成する全コンデンサの容量の４分の１の容量を有する２つのコンデンサにて構成し、ＭＳＢ確定のための逐次比較動作では、この２つのコンデンサの電源線ＡＶＤＤへの接続を時間差を設けて行うようにすることが考えられている。
【００２３】
しかし、このような対策では、荷重容量回路の構成が複雑になり、しかも、切換部のスイッチ操作を時間を空けて行う必要があることから、Ａ／Ｄ変換に要する時間も長くなる、という問題があった。
本発明は、こうした問題に鑑みなされたものであり、電荷再分配型の逐次比較Ａ／Ｄ変換器において、逐次比較動作時に、荷重容量回路からの電荷抜け及び電荷の誤注入を発生させることなく、良好にＡ／Ｄ変換を行うことができ、しかも、Ａ／Ｄ変換を高速に行うことができるようにすることを目的とする。
【００２４】
【課題を解決するための手段】
かかる目的を達成するためになされた請求項１記載の逐次比較Ａ／Ｄ変換器には、既述した従来の電荷再分配型逐次比較Ａ／Ｄ変換器と同様、一端が互いに接続されたｎ＋１個の容量素子を備え、ｎ個の容量素子が、夫々、基準容量を２の累乗値（２0 ，２1 ，２2 …）にて重み付けした容量に設定され、残りの容量素子が基準容量に設定された荷重容量回路が設けられる。そして、比較器が、この荷重容量回路を構成する全容量素子の一端を互いに接続した接続点の電位と、基準電位とを大小比較する。
【００２５】
また、比較器の入力に接続される各容量素子の接続点と、前記基準電位の入力経路との間には、これらを導通・遮断するためのアナログスイッチが設けられる。そして、アナログ入力信号をＡ／Ｄ変換する際には、制御回路が、まず、このアナログスイッチをオンして各容量素子の接続点に基準電位を印加し、各容量素子の接続点とは反対側の開放端にアナログ入力信号を印加することにより、荷重容量回路内の全容量素子に、アナログ入力信号と前記基準電位との電位差に対応した電荷を蓄積させる、サンプリング制御を行う。
【００２６】
また、制御回路は、サンプリング制御終了後、アナログスイッチをオフして各容量素子の接続点への基準電位の印加を遮断した状態で、荷重容量回路において容量が２の累乗値にて重み付けされたｎ個の容量素子に対して、容量が最も大きい容量素子側から順に対象となる容量素子を変更しつつ、対象となる容量素子の開放端に直流電源の正極側を接続し、接続先が未確定の容量素子の開放端に直流電源の負極側を接続することにより、各容量素子に蓄積された電荷の再分配を行い、そのとき得られる前記比較器からの出力信号に基づき、前記接続点の電位が前記基準電位に近づくように、対象となる容量素子の開放端への接続先を前記直流電源の正極側又は負極側に確定してゆく、逐次比較制御を行う。
【００２７】
そして、逐次比較Ａ／Ｄ変換器からは、この制御回路による逐次比較制御によって確定したｎ個の容量素子の開放端への直流電源の接続状態位に対応したデジタル値が、アナログ入力信号のＡ／Ｄ変換値として出力される。
一方、本発明（請求項１）の逐次比較Ａ／Ｄ変換器には、Ａ／Ｄ変換すべきアナログ入力信号が、電源電圧の正極側電位と負極側電位と間の中心となる中間電位よりも大きいか否かを判定する判定回路と、基準電位として、中間電位と電源電圧の正極側電位との間の第１電位、及び、中間電位と電源電圧の負極側電位との間の第２電位、のいずれかを選択的に出力可能な基準電位発生回路とが備えられる。
【００２８】
そして、制御回路は、判定回路による判定結果に基づき、基準電位発生回路から出力される基準電位を、アナログ入力信号が中間電位よりも高い場合には第１電位、アナログ入力信号が中間電位よりも低い場合には第２電位となるよう設定した後、サンプリング制御及び逐次比較制御を行う。
【００２９】
つまり、本発明（請求項１）の逐次比較Ａ／Ｄ変換器においては、既述した従来の電荷再分配型逐次比較Ａ／Ｄ変換器と同様に、サンプリング動作及び逐次比較動作を行うことによって、アナログ入力信号をデジタル値に変換するだけでなく、サンプリング動作に入る前に、判定回路によって、アナログ入力信号が、従来装置において基準電位として設定されている直流電源の正極側電位と負極側電位との間の中心電位（中間電位）よりも大きいか否かを判断し、その判定結果に従い、アナログ入力信号が中間電位よりも高い場合には、基準電位発生回路から出力される基準電位を、中間電位と直流電源の正極側電位との間の第１電位に設定し、アナログ入力信号が中間電位よりも低い場合には、基準電位発生回路から出力される基準電位を、中間電位と直流電源の負極側電位との間の第２電位に設定する。
【００３０】
このため、本発明の逐次比較Ａ／Ｄ変換器においては、サンプリング動作時に荷重容量回路に蓄積される電荷量（Ｑ＝荷重容量回路の総容量×（アナログ入力信号−基準電位））が、基準電位を中間電位に固定する従来装置に比べて少なくなり、逐次比較動作開始後に、荷重容量回路の各容量素子の接続点電位が直流電源の正極側電位を越えるオーバーシュートや、接続点電位が直流電源の負極側電位を下回るアンダーシュートが発生するのを抑制することができる。
【００３１】
よって、本発明によれば、逐次比較動作時に、荷重容量回路に蓄積された電荷の一部が抜ける電荷抜けや、荷重容量回路を構成する容量素子に電荷が誤注入されるミスチャージが発生するのを抑制でき、アナログ入力信号のＡ／Ｄ変換精度を確保することができる。
【００３２】
また、電荷抜けやミスチャージの発生を防止するために、従来のように、荷重容量回路に、ＭＳＢ確定のための容量素子として、荷重容量回路の総容量の１／４の容量を有する２つの容量素子を設け、逐次比較動作によるＭＳＢ確定時に、この２つの容量素子の開放端を、段階的に正極側電源ラインに接続する必要はないため、高精度なＡ／Ｄ変換を短時間で実行できる。また、ｎビットのＡ／Ｄ変換を行う場合、荷重容量回路は、ｎ＋１個の容量素子にて構成すればよいため、荷重容量回路が複雑になることはなく、その構成を簡単にすることができる。
【００３３】
ここで、逐次比較動作は、従来装置と同様、荷重容量回路において、最大容量に設定（基準容量Ｃの２(nー1) 倍に重み付け）されたＭＳＢ確定用の容量素子から順に、その開放端に電源電圧の正極側電位を印加することにより行うようにしても良い。
【００３４】
しかし、本発明では、サンプリング動作に入る前に、判定回路を用いて、アナログ入力信号が中間電位よりも大きいか否かを判断しており、この判定回路から、アナログ入力信号が中間電位よりも大きければ「ＭＳＢ＝１」、アナログ入力信号が中間電位以下であれば「ＭＳＢ＝０」として、ＭＳＢの値を確定することができるによる判定結果から、アナログ入力信号の最上位ビットを確定することができる。
【００３５】
そこで、本発明（請求項１）の逐次比較Ａ／Ｄ変換器は、請求項２に記載のように、制御回路を、逐次比較制御の開始時に、判定回路による判定結果に基づき、荷重容量回路を構成する最大容量の容量素子の開放端への印加電位を確定し、逐次比較制御では、荷重容量回路において２番目に容量が大きい容量素子から順に、各容量素子への印加電位を確定するように構成してもよい。
【００３６】
そして、逐次比較Ａ／Ｄ変換器を請求項２に記載のように構成した場合、請求項１と同様の効果が得られるだけでなく、逐次比較制御では、比較器を用いたＭＳＢ確定のための判定動作を実行する必要がなくなるため、Ａ／Ｄ変換に要する時間を短くすることができる。
【００３７】
また、本発明（請求項１）の逐次比較Ａ／Ｄ変換器においては、請求項３に記載のように、基準電位発生回路を、中間電位と正極側電位との間の中心電位を第１電位、中間電位と負極側電位との間の中心電位を第２電位、として夫々出力可能で、しかも、これら第１電位及び第２電位に加えて、中間電位を出力可能に構成し、制御回路を、サンプリング制御終了後に、基準電位発生回路から出力される基準電位を、第１電位又は第２電位から前記中間電位に変更し、逐次比較制御を行うようにしてもよい。
【００３８】
ここで、請求項３に記載の逐次比較Ａ／Ｄ変換器において、逐次比較制御の際に、基準電位を、第１電位又は第２電位から中間電位に変更するのは、逐次比較制御開始直後の接続点電位を、基準電位を中間電位に固定する従来の逐次比較Ａ／Ｄ変換器において、荷重容量回路に設けたＭＳＢ確定用容量素子の開放端の接続先を確定したときと同電位にするためである。
【００３９】
つまり、例えば、図９に示した３ビットＡ／Ｄ変換用の荷重容量回路では、基準電位を中間電位に固定してサンプリング動作を実行した後の逐次比較制御で、コンデンサ５６の開放端が、切換部６４を介して正の電源線ＡＶＤＤに接続されているとき（換言すればＭＳＢが値「１」に確定されているとき）、Ａ／Ｄ変換値（デジタル値）の上位２ビット目を確定するために、コンデンサ５４の開放端を、正の電源線ＡＶＤＤに接続すると（このとき、コンデンサ５２，５０の開放端は、負の電源線ＡＶＳＳに接続される）、接続点電位Ｖｃは、
Ｖｃ＝−（Ｖin−Ｖref ）＋Ｖｄｄ（６Ｃ／８Ｃ）
となり、Ｖin＝５Ｖ、Ｖref ＝中間電位＝２．５Ｖ、Ｖｄｄ＝５Ｖとすると、Ｖｃ＝１．２５Ｖとなる。
【００４０】
一方、図９に示した荷重容量回路において、最大容量のコンデンサ５６及びこれに対応する切換部６４内のスイッチング素子を除去し、判定回路による判定結果（ＭＳＢ＝１）に対応して、基準電位を第１電位Ｖref1（Ｖｄｄ＝５Ｖの場合、３．７Ｖとなる）に設定してサンプリング動作を行い、その後の逐次比較制御で、基準電位を中間電位（Ｖｄｄ＝５Ｖの場合、２．５Ｖとなる）に変更して、コンデンサ５４の開放端を、正の電源線ＡＶＤＤに接続すると（このとき、コンデンサ５２，５０の開放端は、負の電源線ＡＶＳＳに接続される）、接続点電位Ｖｃは、
Ｖｃ＝−（Ｖin−Ｖref1）＋Ｖｄｄ（２Ｃ／４Ｃ）
となり、Ｖin＝５Ｖ、Ｖref1＝３．７５、Ｖｄｄ＝５Ｖとすると、Ｖｃ＝１．２５Ｖとなる。
【００４１】
従って、請求項３に記載の逐次比較Ａ／Ｄ変換器において、逐次比較制御の際の接続点電位の変化は、基準電位を中間電位に固定した従来装置において、上位２ビット目からＬＳＢまでのデジタル値を確定するときと同じであり、従来と同様の逐次比較制御によって、Ａ／Ｄ変換値（デジタル値）の上位２ビット目からＬＳＢまでを確定できることがわかる。
【００４２】
このように、請求項３に記載の逐次比較Ａ／Ｄ変換器では、判定回路の動作によって得られたＭＳＢの値に応じて設定した基準電位（第１電位又は第２電位）にてサンプリング制御を行い、逐次比較制御の際には、基準電位を中間電位に切り換えることにより、逐次比較制御開始直後の接続点電位を、ＭＳＢの値に応じて重み付けし、その後の逐次比較制御によって、ＭＳＢを除く上位２ビット目からＬＳＢまでの値を順次確定する。
【００４３】
このため、請求項３記載の逐次比較Ａ／Ｄ変換器によれば、請求項１と同様の効果が得られるだけでなく、荷重容量回路として、ｎ＋１個の容量素子からなるｎビットＡ／Ｄ変換用の荷重容量回路を用いた場合には、この荷重容量回路にて得られるｎビットのデジタル値に、判定回路にて得られたデジタル値（１又は０）をＭＳＢとする「ｎ＋１」ビットのＡ／Ｄ変換器を構成することができ、同一の荷重容量回路を備えた請求項１又は請求項２に記載の逐次比較Ａ／Ｄ変換器に比べて、得られるデジタル値の分解能を、１ビット分増加することができる。
【００４４】
また、請求項１又は請求項２に記載の逐次比較Ａ／Ｄ変換器と同じ分解能のＡ／Ｄ変換器を構成する際には、荷重容量回路に設ける容量素子及びこの容量素子の開放端への印加電位切換用の回路を、１ビット分減らすことができることから、Ａ／Ｄ変換器の構成を簡素化できることになる。そして、この場合、請求項１記載の逐次比較Ａ／Ｄ変換器に対しては、比較器を用いたＭＳＢ確定のための判定動作を実行する必要がなくなるため、請求項２記載のものと同様、Ａ／Ｄ変換に要する時間を短くすることができる。
【００４５】
次に、請求項４記載の逐次比較Ａ／Ｄ変換器は、請求項３記載の逐次比較Ａ／Ｄ変換器と同様の原理で、ｎビットＡ／Ｄ変換用の荷重容量回路を用いて、ｍ＋ｎビットのＡ／Ｄ変換器を構成したものである。
つまり、請求項４記載の逐次比較Ａ／Ｄ変換器においては、請求項１〜請求項３に記載の逐次比較Ａ／Ｄ変換器に設けられる判定回路に代えて、アナログ入力信号を、２の累乗値にて重み付けした電圧と同時に比較することによりＡ／Ｄ変換するフラッシュＡ／Ｄ変換回路を備え、基準電位発生回路が、このフラッシュＡ／Ｄ変換回路によるＡ／Ｄ変換結果に応じて重み付けした負極側電位から前記正極側電位までの範囲内の重み付け電位と、電源電圧の正極側電位と負極側電位と間の中心となる中間電位とのいずれかを選択的に出力可能に構成される。
【００４６】
そして、制御回路は、フラッシュＡ／Ｄ変換回路による判定結果に基づき、基準電位発生回路から重み付け電位を基準電位として出力させた後、サンプリング制御を行い、サンプリング制御が終了すると、基準電位発生回路から出力される基準電位を中間電位に変更して、逐次比較制御を行う。
【００４７】
即ち、請求項４に記載の逐次比較Ａ／Ｄ変換器では、フラッシュＡ／Ｄ変換回路の動作によって得られたｍビットのデジタル値に応じて設定した基準電位にてサンプリング制御を行い、逐次比較制御の際には、基準電位を中間電位に切り換えることにより、逐次比較制御開始直後の接続点電位を、フラッシュＡ／Ｄ変換回路によるＡ／Ｄ変換値に応じて重み付けし、その後の逐次比較制御によって、フラッシュＡ／Ｄ変換回路によるｍビットのＡ／Ｄ変換値を上位ビットデータとする、下位ｎビットの値を順次確定するのである。
【００４８】
このため、請求項４記載の逐次比較Ａ／Ｄ変換器によれば、請求項１と同様の効果が得られるだけでなく、荷重容量回路として、ｎ＋１個の容量素子からなるｎビットＡ／Ｄ変換用の荷重容量回路を用いた場合には、この荷重容量回路にて得られるｎビットのデジタル値に、フラッシュＡ／Ｄ変換回路にて得られたｍビット分のデジタル値を上位ビットデータとして加えた、「ｍ＋ｎ」ビットのＡ／Ｄ変換器を構成することができるようになる。
【００４９】
そして、フラッシュＡ／Ｄ変換回路は、電源電圧を２の累乗値にて重み付けした複数の基準電圧を抵抗分圧等によって生成し、各基準電圧とアナログ入力信号とを同時に比較するものであるため、基準電圧生成用抵抗のばらつき等によりＡ／Ｄ変換精度は低くなるものの、アナログ入力信号のＡ／Ｄ変換は短時間で行うことができることから、荷重容量回路を用いた電荷再分配だけでＡ／Ｄ変換を行う場合に比べて、Ａ／Ｄ変換に要する時間を極めて短くすることができる。また、Ａ／Ｄ変換値の下位ｎビットは、荷重容量回路を用いた逐次比較制御によって確定するため、フラッシュＡ／Ｄ変換回路を用いることにより、Ａ／Ｄ変換精度が低下することもない。
【００５０】
【発明の実施の形態】
以下に本発明の実施例を図面と共に説明する。
図１は、本発明（詳しくは請求項２）が適用された第１実施例の逐次比較Ａ／Ｄ変換器の構成を表すブロック図である。
【００５１】
図１に示すように、本実施例の逐次比較Ａ／Ｄ変換器は、４種類のアナログ入力信号を選択的に取り込みＡ／Ｄ変換できるように、チャンネル０（ＣＨ０）からチャンネル３（ＣＨ３）までの入力ポート１０と、入力ポート１０の各チャンネルに入力された４種類のアナログ入力信号を選択的に取り込むマルチプレクサ１２とを備える。そしてマルチプレクサ１２により選択的に取り込まれた特定チャンネルのアナログ入力信号Ｖｉｎは、オペアンプからなるバッファ回路１４を介して、荷重容量回路１６に入力される。
【００５２】
荷重容量回路１６は、容量が基準容量Ｃに設定された１個の容量素子と、容量が基準容量Ｃに２の累乗値（２0 ，２1 ，…，２(n-1) ）を乗じた値に設定された（換言すれば２の累乗値にて重み付けされた）ｎ個の容量素子（コンデンサ）とからなる周知のものである。
【００５３】
そして、この荷重容量回路１６は、図９に示した従来のものと同様、各コンデンサの一端が互いに接続されており、この接続点は、オペアンプ等からなる比較器（コンパレータ）１８の反転入力端子（−）に接続されている。また、各コンデンサの接続点とは反対側の開放端は、ＣＭＯＳトランジスタ等のスイッチング素子からなる切換部（図９の切換部６４参照）を介して、バッファ回路１４からアナログ入力信号Ｖｉｎを受ける入力線ＩＮＰＵＴ、直流電源の正極側から電源供給を受ける電位Ｖｄｄの電源線ＡＶＤＤ、及び、直流電源の負極側から電源供給を受けるグランド電位ＧＮＤの電源線ＡＶＳＳのいずれかに選択的に接続できるようにされている。
【００５４】
一方、コンパレータ１８の非反転入力端子（＋）には、基準電位発生回路２０にて生成された基準電位Ｖref が印加されており、更に、コンパレータ１８の非反転入力端子と反転入力端子との間には、これら端子間を導通・遮断するためのアナログスイッチＳＷ１が設けられている。
【００５５】
尚、基準電位発生回路２０は、例えば、図２に示すように、抵抗値が同じ４個の抵抗Ｒ１〜Ｒ４からなる抵抗直列回路を、電源線ＡＶＤＤ−ＡＶＳＳ間に接続し、各抵抗Ｒ１〜Ｒ４の接続点電位を、スイッチング素子Ｓ１，Ｓ２，Ｓ３を介して選択的に出力できるようにしたものである。このため、直流電源の負極側電位ＧＮＤを「０Ｖ」とした場合、基準電位発生回路２０からは、正極側電位Ｖｄｄの４分の１の電位ＶＬ（＝Ｖｄｄ／４；以下、第２電位という）、正極側電位Ｖｄｄの２分の１の電位Ｖｏ（＝Ｖｄｄ／２；以下、中間電位という）、及び、正極側電位Ｖｄｄの４分の３の電位ＶＨ（＝Ｖｄｄ×３／４；以下、第１電位という）のいずれかが出力されることになる。
【００５６】
次に、マルチプレクサ１２，荷重容量回路１６，基準電位発生回路２０及びアナログスイッチＳＷ１は、制御回路としてのコントローラ３０により制御される。
コントローラ３０は、マルチプレクサ１２への出力信号により、マルチプレクサ１２がバッファ回路１４側に出力するアナログ入力信号Ｖｉｎを確定した後、荷重容量回路１６，アナログスイッチＳＷ１及び基準電位発生回路２０を制御することにより、前述のサンプリング制御及び逐次比較制御を行い、逐次比較制御によって得られたデジタル値を、アナログ入力信号ＶｉｎのＡ／Ｄ変換値として外部に出力するものである。
【００５７】
そして、本実施例の逐次比較Ａ／Ｄ変換器には、各ＣＨ０〜ＣＨ３のアナログ入力信号Ｖｉｎが、電源線ＡＶＤＤ−ＡＶＳＳ間の中心となる中間電位Ｖｏよりも大きいか否かを判定する判定回路（コンパレータ）２２，２４，２６，２８が備えられ、これら各コンパレータ２２〜２８による電圧判定値（High又はLow ）も、コントローラ３０に入力される。
【００５８】
次に、コントローラ３０がアナログ入力信号ＶｉｎをＡ／Ｄ変換するために実行する制御動作を、図３に示すフローチャートに沿って説明する。尚、コントローラ３０は、レジスタや各種ゲート回路からなるロジック回路にて構成されるが、ここでは、その動作を解り易く説明するために、フローチャートを用いて説明する。
【００５９】
図３に示す如く、コントローラ３０は、Ａ／Ｄ変換対象となるチャンネルのアナログ入力信号Ｖｉｎの電圧判定値を、対応するチャンネルのコンパレータ２２〜２８から読み込む（Ｓ１１０；Ｓはステップを表す）。
そして、この読み込んだ電圧判定値に基づき、基準電位発生回路２０から出力される基準電位Ｖref を設定し、マルチプレクサ１２からバッファ回路１４を介して荷重容量回路１６に入力されるアナログ入力信号Ｖｉｎを、Ａ／Ｄ変換対象となるチャンネルのアナログ入力信号に設定する（Ｓ１２０）。
【００６０】
尚、このＳ１２０では、アナログ入力信号Ｖｉｎの電圧判定値がLow レベルで、アナログ入力信号Ｖｉｎが中間電位Ｖｏよりも大きい場合には、基準電位発生回路２０内のスイッチング素子Ｓ３をオンして、基準電位発生回路２０から出力される基準電位Ｖref を、直流電源の正極側電位Ｖｄｄの４分の３の電位である第１電位ＶＨに設定し、逆に、読み込んだ電圧判定値がHighレベルで、Ａ／Ｄ変換対象となるアナログ入力信号Ｖｉｎが中間電位Ｖｏ以下であれば、基準電位発生回路２０のスイッチング素子Ｓ１をオンして、基準電位発生回路２０から出力される基準電位Ｖref を、直流電源の正極側電位Ｖｄｄの４分の１の電位である第２電位ＶＬに設定する。
次に、コントローラ３０は、アナログスイッチＳＷ１をオンして、コンパレータ１８の反転入力端子（換言すれば加重容量回路１６内の各コンデンサの接続点）に基準電位Ｖref を印加すると共に、加重容量回路１６内の切換部を制御して全てのコンデンサの開放端に入力線ＩＮＰＵＴを接続することにより、各コンデンサの開放端にアナログ入力信号Ｖｉｎを印加し（Ｓ１３０）、その後、予め設定されたサンプリング時間が経過するのを待つ（Ｓ１４０）。
【００６１】
このＳ１３０，Ｓ１４０の動作は、前述のサンプリング制御を実行するための動作であり、この動作によって、荷重容量回路１６内の各コンデンサには、アナログ入力信号Ｖｉｎと基準電位Ｖref との電位差（Ｖｉｎ−Ｖref ）に応じた電荷が蓄積されることになる。
【００６２】
こうして、荷重容量回路１６に電荷が蓄積されると、今度は、アナログスイッチＳＷ１をオフすると共に、加重容量回路１６内の切換部を制御して各コンデンサの開放端への入力線ＩＮＰＵＴの接続を遮断することにより、各コンデンサへのアナログ入力信号Ｖｉｎの印加を停止する（Ｓ１５０）。
【００６３】
そして、その後は、Ｓ１２０で読み込んだ電圧判定値に基づき、荷重容量回路１６において容量が最も大きいＭＳＢ側のコンデンサ（容量；２(n-1) ×Ｃ）の開放端を、正・負の電源線ＡＶＤＤ及びＡＶＳＳのいずれかに接続する（Ｓ１６０）。具体的には、電圧判定値がLow レベルで、Ａ／Ｄ変換対象となるアナログ入力信号Ｖｉｎが中間電位Ｖｏよりも大きい場合には、ＭＳＢ側コンデンサの開放端に正の電源線ＡＶＤＤを接続することにより、電位Ｖｄｄを印加し、逆に、電圧判定値がHighレベルで、Ａ／Ｄ変換対象となるアナログ入力信号Ｖｉｎが中間電位Ｖｏ以下であれば、ＭＳＢ側コンデンサの開放端に負の電源線ＡＶＳＳを接続することにより、その開放端をグランド電位ＧＮＤに設定する。
【００６４】
尚、この動作によって、荷重容量回路１６は、最大容量のコンデンサの開放端の接続先が確定した状態となり、その接続状態から、Ａ／Ｄ変換値のＭＳＢの値が解る。つまり、このコンデンサの接続先が正の電源線ＡＶＤＤであれば、ＭＳＢは「１」、負の電源線ＡＶＳＳであれば、ＭＳＢは「０」となる。
【００６５】
このようにＳ１２０で読み込んだ電圧判定値から、Ａ／Ｄ変換値のＭＳＢを確定すると、今度は、Ａ／Ｄ変換値の上位２ビット目からＬＳＢまでを確定するための逐次比較制御を行う（Ｓ１７０）。
具体的には、荷重容量回路１６において容量を２の累乗値にて重み付けしたｎ個のコンデンサの内、開放端への接続先が確定していないコンデンサ（この場合、上位２ビット目に対応した容量が２番目に大きいコンデンサからＬＳＢに対応した基準容量Ｃのコンデンサ）に対して、容量の大きいコンデンサ側から順に、その開放端を一旦正の電源線ＡＶＤＤに接続し、そのとき、コンパレータ１８の出力がHighレベルであれば、その開放端の接続先を正の電源線ＡＶＤＤに確定し、コンパレータ１８の出力がLow レベルであれば、その開放端の接続先を負の電源線ＡＶＳＳに確定する、といった手順で、各コンデンサの開放端への接続先を正・負の電源線ＡＶＤＤ，ＡＶＳＳのいずれかに確定してゆく。
【００６６】
そして、この逐次比較制御によって、荷重容量回路１６を構成するｎ個のコンデンサの開放端の接続先が全て確定すると、その接続状態に応じたデジタル値を、アナログ入力信号ＶｉｎのＡ／Ｄ変換値として出力する（Ｓ１８０）。
以上説明したように、本実施例の逐次比較Ａ／Ｄ変換器においては、図４に示す如く、まずＡ／Ｄ変換対象となるアナログ入力信号Ｖｉｎが中間電位Ｖｏよりも大きいか否かを表す電圧判定値を、判定回路であるコンパレータ２２〜２８のいずれかから読み込み、その電圧判定値に応じて、アナログ入力信号Ｖｉｎが中間電位Ｖｏよりも大きい場合には、基準電位Ｖref を中間電位Ｖｏと直流電源の正極側電位Ｖｄｄとの中心電位である第１電位ＶＨに設定し、アナログ入力信号Ｖｉｎが中間電位Ｖｏ以下である場合には、基準電位Ｖref を中間電位Ｖｏと直流電源の負極側電位ＧＮＤとの中心電位である第２電位ＶＬに設定する（時点ｔ１）。尚、電源電圧が５Ｖの場合、Ｖｏは２．５Ｖ、第１電位ＶＨは３．７５Ｖ、第２電位ＶＬは１．２５Ｖとなる。
【００６７】
このため、本実施例の逐次比較Ａ／Ｄ変換器において、サンプリング動作時に荷重容量回路１６に蓄積される電荷量（Ｑ＝荷重容量回路の総容量×（アナログ入力信号−基準電位））は、基準電位を中間電位Ｖｏに固定する従来装置に比べて半分になり、電源電圧を５Ｖとした場合、逐次比較動作開始後にコンパレータの反転入力端子への入力電圧範囲（接続点電圧Ｖｃの変化範囲）は、図５に示す如く、アナログ入力信号Ｖｉｎが０Ｖから中間電位Ｖｏ（２．５Ｖ）までの領域、及びアナログ入力信号Ｖｉｎが中間電位Ｖｏから電源電圧（５Ｖ）までの領域で、夫々、基準電位Ｖref （２．５Ｖ）を中心として、Ｖref ±１．２５Ｖの範囲で変化することになる。
【００６８】
従って、本実施例の逐次比較Ａ／Ｄ変換器によれば、逐次比較制御の際に、接続点電位Ｖｃが直流電源の正極側電位を越えるオーバーシュートや、接続点電位Ｖｃが直流電源の負極側電位を下回るアンダーシュートが発生するのを防止し、荷重容量回路１６に蓄積された電荷の一部が抜ける電荷抜けや、荷重容量回路１６を構成するコンデンサに電荷が誤注入されるミスチャージが発生するのを防止することが可能になり、アナログ入力信号ＶｉｎのＡ／Ｄ変換精度を確保することができる。
【００６９】
また、電荷抜けやミスチャージの発生を防止するために、従来のように、荷重容量回路１６に、ＭＳＢ確定のためのコンデンサとして、荷重容量回路１６の総容量の１／４の容量を有する２つの容量素子を設け、逐次比較動作によるＭＳＢ確定時に、この２つの容量素子の開放端を、段階的に正極側電源ラインに接続する必要はないため、高精度なＡ／Ｄ変換を短時間で実行できる。また、荷重容量回路１６を用いてｎビットのＡ／Ｄ変換を行う場合、荷重容量回路１６は、ｎ＋１個のコンデンサにて構成すればよいため、荷重容量回路１６が複雑になることはなく、その構成を簡単にすることができる。
【００７０】
また、図４に示すように、本実施例の逐次比較Ａ／Ｄ変換器では、基準電位Ｖref を第１電位ＶＨ又は第２電位ＶＬに設定した状態で、サンプリング制御を行い、サンプリング制御終了後、荷重容量回路１６側でＭＳＢに対応した最大容量のコンデンサの開放端の接続先を、電圧判定値に基づき確定した後、逐次比較制御を開始する（時点ｔ２）。
【００７１】
このため、時点ｔ２以降の逐次比較制御では、荷重容量回路１６において容量が２番目に大きい上位２ビット目（ｎ−１）のコンデンサからＬＳＢのコンデンサへと順に逐次比較制御が成されることになり、ＭＳＢのコンデンサから順に逐次比較制御を行う従来装置に比べて、逐次比較制御に要する時間を短縮し、アナログ入力信号ＶｉｎのＡ／Ｄ変換をより短い時間で行うことが可能になる。
【００７２】
以上、本発明の一実施例について説明したが、本実施例は上記実施例に限定されるものではなく、種々の態様を採ることができる。
例えば、上記第１実施例では、請求項２記載の発明を適用することにより、サンプリング制御終了後、逐次比較制御を開始するまでの間に、荷重容量回路１６において容量が最大となるＭＳＢのコンデンサの開放端の接続先を、判定回路としてのコンパレータ２２〜２８によるアナログ入力信号Ｖｉｎの電圧判定値に応じて確定するものとして説明したが、コントローラ３０によるＡ／Ｄ変換の制御動作を、図６に示す手順で実行するようにしてもよい。
【００７３】
以下、この図６に示すフローチャート及び図７に示すタイムチャートを用いて、請求項３記載の発明を適用した第２実施例の逐次比較Ａ／Ｄ変換器について説明する。尚、この第２実施例の逐次比較Ａ／Ｄ変換器のハード構成は、図１に示した第１実施例のものと同じであり、コントローラ３０の動作のみが異なる。
【００７４】
図６に示す如く、第２実施例の逐次比較Ａ／Ｄ変換器において、コントローラ３０は、第１実施例と同様の手順（Ｓ１１０〜Ｓ１４０）で、Ａ／Ｄ変換対象となるアナログ入力信号Ｖｉｎの電圧判定値を読み込み、その読み込んだ電圧判定値に応じて、基準電位発生回路２０から出力される基準電位Ｖref を設定し、サンプリング制御を開始する（図７時点ｔ１参照）。
【００７５】
次に、このサンプリング制御によって荷重容量回路１６にアナログ入力信号Ｖｉｎと基準電位Ｖref との電位差に応じた電荷が蓄積されると、Ｓ１５０にて、アナログスイッチＳＷ１をオフし、加重容量回路１６内の切換部を制御して各コンデンサの開放端への入力線ＩＮＰＵＴの接続を遮断することにより、サンプリング制御を終了し、逐次比較制御に移行するが、逐次比較制御の開始時（図７時点ｔ２参照）には、基準電位発生回路２０から出力される基準電位Ｖref を中間電位Ｖｏに変更する（Ｓ２６０）。
【００７６】
そして、続く逐次比較制御（Ｓ２７０）では、Ｓ１１０で読み込んだ電圧判定値をＡ／Ｄ変換値のＭＳＢとして、上位２ビット目からＬＳＢまでのＡ／Ｄ変換値を確定すべく、荷重容量回路１６において容量を２の累乗値にて重み付けしたｎ個のコンデンサに対して、最大容量のコンデンサから基準容量Ｃのコンデンサへと順に、その開放端を一旦正の電源線ＡＶＤＤに接続し、そのとき、コンパレータ１８の出力がHighレベルであれば、その開放端の接続先を正の電源線ＡＶＤＤに確定し、コンパレータ１８の出力がLow レベルであれば、その開放端の接続先を負の電源線ＡＶＳＳに確定する、といった手順で、各コンデンサの開放端への接続先を正・負の電源線ＡＶＤＤ，ＡＶＳＳのいずれかに確定してゆく。
【００７７】
そして、この逐次比較制御によって、荷重容量回路１６を構成するｎ個のコンデンサの開放端の接続先が全て確定すると、その接続状態に応じたｎビットのデジタル値に、Ｓ１１０で読み込んだ電圧判定値をＭＳＢとして加えた「ｎ＋１」ビットのデジタル値を、アナログ入力信号ＶｉｎのＡ／Ｄ変換値として出力する（Ｓ２８０）。
【００７８】
このように、第２実施例の逐次比較Ａ／Ｄ変換器では、逐次比較制御の際に、基準電位Ｖref を、第１電位ＶＨ又は第２電位ＶＬから中間電位Ｖｏに変更することにより、逐次比較制御開始直後の接続点電位Ｖｃを、基準電位Ｖref を中間電位Ｖｏに固定する従来の逐次比較Ａ／Ｄ変換器において、荷重容量回路内の最大容量のコンデンサの開放端への接続先を確定したときと同電位にし、その後、荷重容量回路１６を用いた従来と同様の逐次比較制御を実行することにより、アナログ入力信号ＶｉｎのＡ／Ｄ変換値の上位２ビット目からＬＳＢを確定する。
【００７９】
従って、第２実施例の逐次比較Ａ／Ｄ変換器によれば、サンプリング制御実行時に荷重容量回路１６に蓄積される電荷量を少なくして、逐次比較制御開始後に電荷抜けやミスチャージが発生するのを防止することができるだけでなく、ｎ＋１個のコンデンサからなるｎビットＡ／Ｄ変換用の荷重容量回路１６を用いて、「ｎ＋１」ビットのＡ／Ｄ変換器を構成することが可能になり、第１実施例の逐次比較Ａ／Ｄ変換器に比べて、得られるＡ／Ｄ変換値の分解能を、１ビット分高めることができる。
【００８０】
一方、第２実施例の逐次比較Ａ／Ｄ変換器のように、サンプリング制御と逐次比較制御とで基準電位Ｖref を変更することにより、Ａ／Ｄ変換値の上位ビットを、アナログ入力信号Ｖｉｎの電圧判定値にて確定し、Ａ／Ｄ変換値の下位ｎビットを、荷重容量回路を用いて確定する場合、このＡ／Ｄ変換値の上位ビットを、フラッシュＡ／Ｄ変換回路を用いて確定するようにすれば、Ａ／Ｄ変換器の分解能をより高めることができる。以下、このように構成した逐次比較Ａ／Ｄ変換器を、本発明の第３実施例として、図８を用いて説明する。
【００８１】
図８に示す逐次比較Ａ／Ｄ変換器は、請求項４記載の発明を適用したものであり、図１に示した第１実施例或いは第２実施例の逐次比較Ａ／Ｄ変換器と異なる点は、
(1) 各チャンネルのアナログ入力信号Ｖｉｎを中間電位Ｖｏと大小比較するコンパレータ２２〜２８に代えて、各チャンネルのアナログ入力信号Ｖｉｎを、選択的に取り込んでｍビットのデジタル値にＡ／Ｄ変換可能なフラッシュＡ／Ｄ変換回路４０を設けた点。
【００８２】
(2) 基準電位発生回路２０を、フラッシュＡ／Ｄ変換回路４０にて得られるｍビットのデジタル値に対応した電圧信号を発生可能なＤ／Ａ変換回路にて構成した点。
の２点であり、それ以外の構成要素は、図１に示したものと同じである。
【００８３】
また、コントローラ３０の動作手順は、基本的には、図６に示した第２実施例の動作と同じであり、異なる点は、下記▲１▼〜▲３▼の３点である。
▲１▼  Ｓ１１０において、電圧判定値を読み込む代わりに、フラッシュＡ／Ｄ変換回路４０を制御して、Ａ／Ｄ変換対象となるチャンネルのアナログ入力信号ＶｉｎをＡ／Ｄ変換させ、得られたＡ／Ｄ変換値を、アナログ入力信号Ｖｉｎの上位ｍビット分のＡ／Ｄ変換値として読み込む点。
【００８４】
▲２▼  Ｓ１２０において、基準電位発生回路２０に対して、Ｓ１１０で読み込んだｍビットのＡ／Ｄ変換値を出力することにより、基準電位発生回路２０から、そのＡ／Ｄ変換値に対応したアナログ電圧を基準電位Ｖref として出力させる点。
【００８５】
▲３▼  Ｓ２８０において、荷重容量回路１６を構成するｎ個のコンデンサの開放端への電源線ＡＶＤＤ又はＡＶＳＳの接続状態に応じたｎビットのデジタル値を下位ｎビットとし、これに、Ｓ１１０で読み込んだｍビットのＡ／Ｄ変換値を、上位ｍビットとして加えた「ｍ＋ｎ」ビットのデジタル値を、アナログ入力信号ＶｉｎのＡ／Ｄ変換値として出力する点。
【００８６】
つまり、第３実施例の逐次比較Ａ／Ｄ変換器では、フラッシュＡ／Ｄ変換回路４０の動作によって得られたｍビットのデジタル値に応じて設定した基準電位Ｖref にてサンプリング制御を行い、逐次比較制御の際には、基準電位Ｖref を中間電位Ｖｏに切り換えることにより、逐次比較制御開始直後の接続点電位Ｖｃを、フラッシュＡ／Ｄ変換回路４０によるＡ／Ｄ変換値に応じて重み付けし、その後の逐次比較制御によって、フラッシュＡ／Ｄ変換回路４０によるｍビットのＡ／Ｄ変換値を上位ビットデータとする、下位ｎビットの値を確定するのである。
【００８７】
このため、本実施例の逐次比較Ａ／Ｄ変換器によれば、第１実施例及び第２実施例のものと同様、サンプリング制御実行時に荷重容量回路１６に蓄積される電荷量を少なくして、逐次比較制御開始後に電荷抜けやミスチャージが発生するのを防止することができるだけでなく、例えば、第１実施例或いは第２実施例と同じ荷重容量回路１６を用いて、より高分解能のＡ／Ｄ変換器を構成することが可能になる。また、Ａ／Ｄ変換値の上位ｍビットは、フラッシュＡ／Ｄ変換回路４０を用いて確定するので、Ａ／Ｄ変換に要する時間を極めて短くすることができ、しかも、Ａ／Ｄ変換値の下位ｎビットは、荷重容量回路１６を用いた逐次比較制御によって確定するため、Ａ／Ｄ変換精度を確保することもできる。
【図面の簡単な説明】
【図１】  第１実施例の逐次比較Ａ／Ｄ変換器の構成を表す概略構成図である。
【図２】  図１に示す基準電位発生回路の構成を表す電気回路図である。
【図３】  第１実施例のコントローラによる制御手順を説明するフローチャートである。
【図４】  第１実施例のＡ／Ｄ変換動作を説明するタイムチャートである。
【図５】  第１実施例のコンパレータ（比較器）への入力電圧範囲とアナログ入力信号Ｖｉｎとの関係を表す説明図である。
【図６】  第２実施例のコントローラによる制御手順を説明するフローチャートである。
【図７】  第２実施例のＡ／Ｄ変換動作を説明するタイムチャートである。
【図８】  第３実施例の逐次比較Ａ／Ｄ変換器の構成を表す概略構成図である。
【図９】  逐次比較Ａ／Ｄ変換器を構成する荷重容量回路の構成例及びこれを用いた従来のＡ／Ｄ変換動作を表す説明図である。
【図１０】  従来の逐次比較Ａ／Ｄ変換器におけるコンパレータ（比較器）への入力電圧（Ｖｃ）とアナログ入力信号Ｖｉｎとの関係を表す説明図である。
【図１１】  コンパレータ（比較器）の入力端子間に設けられるアナログスイッチＳＷ１の構成を説明する説明図である。
【符号の説明】
１０…入力ポート、１２…マルチプレクサ、１４…バッファ回路、１６…荷重容量回路、１８…コンパレータ（比較器）、２０…基準電位発生回路、２２〜２８…コンパレータ（判定回路）、３０…コントローラ、４０…フラッシュＡ／Ｄ変換回路、５０〜５６…コンデンサ、６２…コンパレータ（比較器）、６４…切換部。
【図１】
0003896717.tif 000003
【図２】
0003896717.tif 000004
【図３】
0003896717.tif 000005
【図４】
0003896717.tif 000006
【図５】
0003896717.tif 000007
【図６】
0003896717.tif 000008
【図７】
0003896717.tif 000009
【図８】
0003896717.tif 000010
【図９】
0003896717.tif 000011
【図１０】
0003896717.tif 000012
【図１１】
0003896717.tif 000013